(57)【要約】【課題】各設備機器の制御に不具合を生じることなく、各設備機器に対するインターネット経由の操作およびローカルサイト経由の操作が共に可能な管理システムを提供する。【解決手段】インターネット経由の操作およびローカルサイト経由の操作など、複数の操作要求が同時に発生しても、その各要求のいずれか１つが予め設定されている優先度に従って選択される。【選択図】      図１
2008083828.tif 000002
【特許請求の範囲】
【請求項１】
複数の設備機器に対するインターネット経由の要求およびローカルネットワーク経由の要求を受けるローカルサーバと、
前記ローカルサーバに設けられ、複数の要求を同時に受けたとき、その各要求のいずれか１つを予め設定されている優先度に従って選択する手段と、
を備えていることを特徴とする管理システム。
【請求項２】
前記優先度が設定されたアクセス記述テーブルをさらに備え、
前記選択する手段は、前記各要求のいずれか１つを前記アクセス記述テーブルの参照により選択する、
ことを特徴とする請求項１に記載の管理システム。
【請求項３】
前記インターネット経由の要求は、管理センタに設置されているセンタサーバから発せられ、
前記ローカルネットワーク経由の要求は、前記ローカルサーバにＬＡＮ接続されている端末から発せられる、
ことを特徴とする請求項１に記載の管理システム。
【請求項４】
前記ローカルサーバに設けられ、前記各設備機器の状態を表す情報を取得して前記端末で表示する手段、
をさらに備えたことを特徴とする請求項３に記載の管理システム。
【発明の詳細な説明】
【技術分野】
【０００１】
この発明は、ビルや店舗などに設置される複数の設備機器を管理する管理システムに関する。
【背景技術】
【０００２】
ビルや店舗などに設置される複数の設備機器の状態を取得してインターネット経由で監視しながら、その各設備機器を複数のユーザがビルや店舗などに設置されているいわゆるローカルサイトの端末で操作するシステムが提案されている（例えば特許文献１）
【特許文献１】特開２００２―２４７６５７号公報
【発明の開示】
【発明が解決しようとする課題】
【０００３】
上記のシステムでは、各設備機器に対する操作がローカルサイトの端末でのみ可能となっている。これは、ローカルサイト経由の操作のほかに、インターネット経由の操作が可能であると、各設備機器における制御の統制が取れなくなるからであり、そのような不具合を防ぐようにしている。
【０００４】
しかしながら、実用上、ローカルサイト経由の操作だけでなく、インターネット経由の操作も可能であることが望まれる。
【０００５】
この発明は上記の事情を考慮したもので、その目的は、各設備機器の制御に不具合を生じることなく、各設備機器に対するインターネット経由の操作およびローカルサイト経由の操作が共に可能な管理システムを提供することである。
【課題を解決するための手段】
【０００６】
請求項１に係る発明の管理システムは、複数の設備機器に対するインターネット経由の要求およびローカルネットワーク経由の要求を受けるローカルサーバと、このローカルサーバに設けられ、複数の要求を同時に受けたとき、その各要求のいずれか１つを予め設定されている優先度に従って選択する手段と、を備える。
【発明の効果】
【０００７】
この発明の管理システムによれば、各設備機器の制御に不具合を生じることなく、各設備機器をインターネット経由およびローカルサイトの両方で操作することができる。
【発明を実施するための最良の形態】
【０００８】
以下、この発明の一実施形態について図面を参照して説明する。  
図１に示すように、ビルや店舗などに設置される複数の設備機器たとえば空気調和機１，２，３およびその各空気調和機のコントローラ４が、ローカルネットワークであるＬＡＮ５を介してローカルサーバ６に接続されている。ローカルサーバ６には、設備機器運転履歴や環境データなど種々のデータを記憶するためのデータベース７が付属されている。
【０００９】
また、ローカルサーバ６には、ローカルネットワークであるＬＡＮ８を介して、ビルや店舗などいわゆるローカルサイトの端末たとえばパーソナルコンピュータ（ＰＣ）９および携帯端末（ＰＤＡ）１０が接続されるとともに、ＡＤＳＬモデム・ルータ１１および無線アクセスポイント１２が接続されている。ＡＤＳＬモデム・ルータ１１は、ローカルサーバ６をインターネット２０に接続するためのものである。無線アクセスポイント１２は、ローカルサイトの端末たとえば無線携帯端末（ＰＤＡ）１３および携帯電話器１４をローカルサーバ６に接続するためのものである。これらローカルサイトのパーソナルコンピュータ（ＰＣ）９、携帯端末（ＰＤＡ）１０、無線携帯端末（ＰＤＡ）１３、携帯電話器１４のＷｅｂブラウザから、空気調和機１，２，３に対する種々の操作要求を発することができる。この操作要求は、ＬＡＮ８を介してローカルサーバ６に取込まれる。
【００１０】
一方、インターネット２０に、ルータ３１を介してセンタサーバ３２が接続され、そのセンタサーバ３２に顧客データ、設備機器運転履歴、環境データなどのデータを記憶するためのデータベース３３が接続されている。センタサーバ３２は、必要に応じてインターネット２０を介してローカルサーバ６に空気調和機１，２，３の運転／停止や運転モード、設定温度等の操作要求および空気調和機１，２，３の消費電力量を所定期間、例えば４時間または所定の時間帯で制限する遠隔デマンドコントロールサービス要求、空気調和機１，２，３の設定温度を上昇させる遠隔省エネサービス要求等を指示できる。これらルータ３１、センタサーバ３２、およびデータベース３３は、上記空気調和機１，２，３の設置場所から離れたところの管理センタに設置される。なお、データベース３３に記憶されるデータとして、例えば、前年の同月同日の気温データがある。これに対し、ローカルサーバ６側のデータベース７には、本日の気温データが記憶される。
【００１１】
また、インターネット２０に対し、ＡＤＳＬモデム・ルータ４１を介してパーソナルコンピュータ４２の接続が可能であるとともに、携帯電話器５１の接続が可能となっている。このパーソナルコンピュータ４２あるいは携帯電話器５１のＷｅｂブラウザから、空気調和機１，２，３に対する種々の操作要求を発することができる。この操作要求は、管理センタのセンタサーバ３２に一旦取込まれ、その後、ローカルサーバ６からの定期的な要求に応じてセンタサーバ３２からローカルサーバ６に取込まれる。
【００１２】
ローカルサーバ６は、図２に示すように、データ処理部６０、ネットワーク処理部６１、インターネット送受信部６２、ネットワーク処理部６３、Ｗｅｂサーバ６４、アプリケーション処理部６５、アクセス判定部６６、およびアクセス記述テーブル６７などを有している。上記データ処理部６０は、ＬＡＮ５、データベース７、インターネット２０、アプリケーション処理部６５の相互間におけるデータのやり取りを制御する。ネットワーク処理部６１は、空気調和機１，２，３が接続されているＬＡＮ５との接続処理を行う。インターネット送受信部６２は、インターネット２０との間のデータの送受信を行う。ネットワーク処理部６３は、インターネット２０との接続処理を行う。Ｗｅｂサーバ６４は、アプリケーション処理部６５から得たデータを保持し、それをＬＡＮ８に接続されている端末（パーソナルコンピュータ９、携帯端末１０、無線携帯端末１３、携帯電話器１４など）のＷｅｂブラウザ上で公開（表示）する。
【００１３】
上記アプリケーション処理部６５は、複数のアプリケーションプログラムを有し、これらアプリケーションプログラムの処理により、空気調和機１，２，３からデータ処理部６０を介して定期的にデータを取得し、かつ必要に応じてデータベース７からデータ処理部６０を介してデータを取得し、また必要に応じて管理センタのセンタサーバ３２からデータ処理部６０およびインターネット２０を介してデータを取得し、これら取得したデータを適宜に加工して上記Ｗｅｂサーバ６４に供給する。このＷｅｂサーバ６４およびアプリケーション処理部６５により、空気調和機１，２，３の状態を表す情報をＬＡＮ５経由で取得し、それをＬＡＮ８に接続されている端末（パーソナルコンピュータ９、携帯端末１０、無線携帯端末１３、携帯電話器１４など）で表示する手段が構成されている。
【００１４】
上記アクセス判定部６６は、インターネット２０経由のアクセスにより受けた操作要求をネットワーク処理部６３およびインターネット送受信部６２を介して取込み、かつローカルネットワーク経由（ＬＡＮ８経由）のアクセスにより受けた操作要求をネットワーク処理部６３およびＷｅｂサーバ６４を介して取込み、これら取込んだ操作要求のいずれか１つをアクセス記述テーブル６７に予め設定されている優先度に従って選択する。選択された操作要求は、ネットワーク処理部６１およびＬＡＮ５を介して空気調和機１，２，３に送られる。
【００１５】
アクセス記述テーブル６７には、図３に示すように、空気調和機別に、操作の内容を表わす操作項目、操作要求の内容および要求元を表わす要求元属性、アクセス許可優先度（１〜８）が記述され、かつ操作要求に応じた処理が実行中か否かを表わす実行中フラグ（１or０）が逐次に記述される。要求元属性のうち、管理センタのセンタサーバ３２から指示される管理センタ操作要求、遠隔デマンドコントロールサービス操作要求、遠隔省エネサービス操作要求、遠隔見守りサービス操作要求がインターネット２０経由のもので、ユーザａ操作要求、ユーザｂ操作要求、ユーザｃ操作要求、ユーザｄ操作要求はインターネット２０経由とローカルネットワーク経由とにユーザ別に異なる。
【００１６】
空気調和機１，２，３、ローカルサーバ６、センタサーバ３２の相互間のデータおよび指令のやり取りは、図４に示すように、空気調和機１，２，３とローカルサーバ６との間、およびローカルサーバ６とセンタサーバ３２との間のいずれも、ローカルサーバ６からの送信がきっかけとなって実行される。
【００１７】
続いて作用を説明する。空気調和機１，２，３に対する操作要求が外部のユーザにより例えばパーソナルコンピュータ４２から入力されると、その入力された操作要求がインターネット２０を介して管理センタのセンタサーバ３２に取込まれる。取込まれた操作要求は、ローカルサーバ６からの定期的な要求に応じて、センタサーバ３２からローカルサーバ６に取込まれる。
【００１８】
また、空気調和機１，２，３に対する操作要求がローカルエリアのユーザにより例えばパーソナルコンピュータ９から入力されると、その入力された操作要求がＬＡＮ８をローカルサーバ６に取込まれる。
【００１９】
これらインターネット２０経由のアクセスによる操作要求およびローカルネットワーク経由（ＬＡＮ８経由）の操作要求がローカルサーバ６に同時に取込まれた場合、ローカルサーバ６において、取込まれた各操作要求のいずれか１つがアクセス記述テーブル６７の参照により選択される。たとえば、インターネット２０経由が“管理センタ操作要求”で、ローカルネットワーク経由が“ユーザａ操作要求”である場合、“管理センタ操作要求”のアクセス許可優先度は“１”、“ユーザａ操作要求”のアクセス許可優先度は“５”であるから（図３参照）、アクセス許可優先度の高い“管理センタ操作要求”が選択される。アクセス許可優先度の低い方の“ユーザａ操作要求”は無視される。選択された“管理センタ操作要求”は空気調和機１，２，３に送られ、これと同時に、アクセス記述テーブル６７における“管理センタ操作要求”の欄の実行中フラグが“１”にセットされる。
【００２０】
空気調和機１，２，３の状態はアプリケーション処理部６５によって監視されており、“管理センタ操作要求”に応じた運転あるいは処理が終了すると、“管理センタ操作要求”の欄の実行中フラグが“０”にリセットされる。この状態でアクセス許可優先度の低い“ユーザａ操作要求”が再び発生すると、その“ユーザａ操作要求”が選択される。選択された“ユーザａ操作要求”は空気調和機１，２，３に送られ、これと同時に、アクセス記述テーブル６７における“ユーザａ操作要求”の欄の実行中フラグが“１”にセットされる。空気調和機１，２，３の状態はアプリケーション処理部６５によって監視されており、“ユーザａ操作要求”に応じた運転あるいは処理が終了すると、“ユーザａ操作要求”の欄の実行中フラグが“０”にリセットされる。
【００２１】
このように、複数の操作要求が同時に発生しても、その各要求のいずれか１つが予め設定されている優先度に従って選択されるので、空気調和機１，２，３の制御に何ら不具合を生じることなく、空気調和機１，２，３に対するインターネット経由の操作およびローカルサイト経由の操作が共に可能となる。これにより、利便性が大幅に向上する。
【００２２】
なお、選択された操作要求はネットワーク処理部６１を介して空気調和機１，２，３に送られるが、そのネットワーク処理部６１では図５に示すトラフィック制御が実行される。すなわち、選択される操作要求はバッファに順に保持され、その保持期間がタイマの計時に基づく一定時間に達するごとに、バッファ内の各操作要求が出力部によって順に読み出されて出力される。このトラフィック制御により、操作要求が滞りなく空気調和機１，２，３に送られる。送られる操作要求のデータフォーマットの例を図６に示している。
【００２３】
また、空気調和機１の運転状態を参照する旨の操作要求が発せられた場合、図７に示すように、空気調和機１の運転状態を表わす運転状態画面がＬＡＮ８に接続されている端末（パーソナルコンピュータ９、携帯端末１０、無線携帯端末１３、携帯電話器１４など）のディスプレイで表示される。この表示により、各空気調和機の運転状態を容易に把握することができて、便利である。
【００２４】
なお、アクセス記述テーブル６７の記述内容として、図３のほかに、管理センタのセンタサーバを持たず、ユーザのみの優先順位を設定する図８に示す例がある。その他、この発明は上記実施形態に限定されるものではなく、要旨を変えない範囲で種々変形実施可能である。
【図面の簡単な説明】
【００２５】
【図１】一実施形態の全体的な構成を示す図。
【図２】一実施形態におけるローカルサーバの要部の構成を示すブロック図。
【図３】一実施形態におけるアクセス記述テーブルの記述内容を示す図。
【図４】一実施形態における各空気調和機、ローカルサーバ、センタサーバの相互間のデータおよび指令のやり取りを示す図。
【図５】一実施形態にネットワーク処理部のトラフィック制御を説明するための図。
【図６】一実施形態における操作要求のデータフォーマットの例を示す図。
【図７】一実施形態における運転状態画面を示す図。
【図８】一実施形態におけるアクセス記述テーブルの記述内容の変形例を示す図。
【符号の説明】
【００２６】
１，２，３…空気調和装置（設備機器）、５…ＬＡＮ、６…ローカルサーバ、８…ＬＡＮ、９…パーソナルコンピュータ（端末）、１０…携帯端末、１３…無線携帯端末、１４…携帯電話器（端末）、２０…インターネット、３２…センタサーバ、４２…パーソナルコンピュータ（端末）、５１…携帯電話器（端末）、６０…データ処理部
【図１】
2008083828.tif 000003
【図２】
2008083828.tif 000004
【図３】
2008083828.tif 000005
【図４】
2008083828.tif 000006
【図５】
2008083828.tif 000007
【図６】
2008083828.tif 000008
【図７】
2008083828.tif 000009
【図８】
2008083828.tif 000010